(57)【要約】【課題】カード排出口まで排出されたカードを確実に摘まむことができるカード用コネクタ装置の提供。【解決手段】カード１０を排出させるカード排出口３と、このカード排出口３から排出されるカード１０を、斜め上方へ案内する案内機構とを備え、この案内機構を、カード１０の排出時に、カード１０の下面と当接してこのカード１０を排出方向へ案内する下部案内部１６と、カード排出口３の端面３ａから奥側に向って切欠き形成され、カード１０の排出時に、カード１０の上面と当接してこのカード１０を排出方向へ案内する上部案内部１５と、カード１０の排出時に、カード１０を上方へ付勢する付勢部材８とを有する構成にしてある。【選択図】図２
2006172872.tif 000002
【特許請求の範囲】
【請求項１】
カードを排出させるカード排出口と、このカード排出口から排出される上記カードを、斜め上方へ案内する案内機構とを備えたことを特徴とするカード用コネクタ装置。
【請求項２】
上記請求項１記載の発明において、
上記案内機構が、
上記カードの排出時に、上記カードの下面と当接してこのカードを排出方向へ案内する下部案内部と、
上記カード排出口の端面から奥側に向って切欠き形成され、上記カードの排出時に、上記カードの上面と当接してこのカードを排出方向へ案内する上部案内部と、
上記カードの排出時に、上記カードを上方へ付勢する付勢部材とを有することを特徴とするカード用コネクタ装置。
【請求項３】
上記請求項２記載の発明において、
上記下部案内部は、上記カードの排出時に、上記カードの挿入側端部を形成する前端部が当接する凹部を有することを特徴とするカード用コネクタ装置。
【請求項４】
上記請求項２記載の発明において、
カード挿入部を覆う金属製のカバー部材を備え、上記付勢部材が、上記カバー部材の一部を折り曲げて成ることを特徴とするカード用コネクタ装置。
【請求項５】
上記請求項２〜４のいずれか１項記載の発明において、
上記付勢部材が、カード挿入部の所定の装着位置に装着された上記カードの抜け止め部材を兼ねることを特徴とするカード用コネクタ装置。
【発明の詳細な説明】
【技術分野】
【０００１】
本発明は、各種電子機器に装備され、挿入されたカードに対する送受信を可能にするカード用コネクタ装置に関する。
【背景技術】
【０００２】
この種の従来技術として、例えば特許文献１に記載の技術がある。この従来技術を含めて従来一般にカードは、カード用コネクタ装置のハウジングに対して水平方向に挿入され、また、水平方向に排出されるようになっている。
【特許文献１】特開平９−５０４９６号公報
【発明の開示】
【発明が解決しようとする課題】
【０００３】
昨今、挿入されるカードの薄型化に伴って、カード用コネクタ装置の薄型化が要望されてきているが、上述した従来のカード用コネクタ装置では、挿入されるカードの薄型化に対応可能となる装置の薄型化を実現させようとする場合に、水平方向に排出されたカードを摘まむことが困難となり、装置からのカードの取り出しが面倒になる虞がある。
【０００４】
本発明は、上述した従来技術における実状からなされたもので、その目的は、カード排出口まで排出されたカードを確実に摘まむことができるカード用コネクタ装置を提供することにある。
【課題を解決するための手段】
【０００５】
上記目的を達成するために、本発明は、カードを排出させるカード排出口と、このカード排出口から排出される上記カードを、斜め上方へ案内する案内機構とを備えたことを特徴としている。
【０００６】
このように構成した本発明は、カードの排出時には、案内機構によってカードが斜め上方へ案内されるので、カードの排出側端部を形成する後端部が上方へ変位し、カードの下側空間を広げることができる。したがって、排出されたカードを確実に摘まむことができる。
【０００７】
また本発明は、上記発明において、上記案内機構が、上記カードの排出時に、上記カードの下面と当接してこのカードを排出方向へ案内する下部案内部と、上記カード排出口の端面から奥側に向って切欠き形成され、上記カードの排出時に、上記カードの上面と当接してこのカードを排出方向へ案内する上部案内部と、上記カードの排出時に、上記カードを上方へ付勢する付勢部材とを有することを特徴としている。このように構成した本発明は、簡単に形成し得る下部案内部と、上部案内部と、付勢部材を設けるだけで、カード排出時にカードを確実に摘まむことができる。
【０００８】
また本発明は、上記発明において、上記下部案内部は、上記カードの排出時に、上記カードの挿入側端部を形成する前端部が当接する凹部を有することを特徴としている。このように構成した本発明は、カード排出時にカードの挿入側端部を形成する前端部が凹部に当接することによって、カードの後端部が上方に変位するようにこのカードを確実に傾けることができる。
【０００９】
また本発明は、上記発明において、カード挿入部を覆う金属製のカバー部材を備え、上記付勢部材が、上記カバー部材の一部を折り曲げて成ることを特徴としている。このように構成した本発明は、カバー部材の製作時に同時に付勢部材を製作でき、この付勢部材の製作が容易であると共に、部品数の増加を抑えることができる。
【００１０】
また本発明は、上記発明において、上記付勢部材が、カード挿入部の所定の装着位置に装着された上記カードの抜け止め部材を兼ねることを特徴としている。このように構成した本発明は、所定の装着位置に装着されたカードの抜け止めを防止できると共に、別個にカードの抜け止め部材を備える必要がなく、部品数の低減に貢献する。
【発明の効果】
【００１１】
本発明は、カード排出時には案内機構によってカードが斜め方向へ案内されるので、カードの後端部が上方に変位し、カードの下側空間が広がり、これによりカード排出口まで排出されたカードを確実に摘まむことができ、カードの取り出しを簡単に行なうことができる。したがって、カードの薄型化に対応可能な装置とすることができる。
【発明を実施するための最良の形態】
【００１２】
以下，本発明に係るカード用コネクタ装置を実施するための最良の形態を図に基づいて説明する。
【００１３】
［本実施形態の基本構成］
図１は本発明のカード用コネクタ装置に係る一実施形態を示す図で、（ａ）図は平面図、（ｂ）図は正面図、（ｃ）図は背面図、（ｄ）図は左側面図、（ｅ）図は右側面図、図２は図１のＡ−Ａ断面拡大図、図３は図１に示す状態からカバー部材を除いた状態を示す図で、（ａ）図は平面図、（ｂ）図は正面図、（ｃ）図は背面図、（ｄ）図は左側面図、（ｅ）図は右側面図である。
【００１４】
これらの図１〜３に示すように、本実施形態は、基台を構成するハウジング１を備え、このハウジング１には、カード挿入口を兼ねるカード排出口３と、後述のカード１０が装着されるカード挿入部４とが形成されている。また、後述のカード１０の下面に形成され、信号の送受信に活用される複数の外部接触部のそれぞれが導通可能な複数の外部接続端子５が設けられている。このハウジング１の上側部分には、図１に示すように、ハウジング１のカード挿入部４を覆う金属製のカバー部材２を設けてある。
【００１５】
ハウジング１内の一方の側部には、後述のカード１０の挿入に伴って、このカード１０の挿入側端部を形成する前端部１０ａの切欠き部１０ｂと係合し、カード１０と共にハウジング１の奥側に向って摺動するスライド部材６と、このスライド部材６をカード排出口３の方向に付勢するばね部材７とを配置してある。これらのスライド部材６とばね部材７とによってカード排出機構が構成されている。
【００１６】
［本実施形態の要部構成］
本実施形態は特に、カード排出口３から排出される後述のカード１０を、斜め上方へ案内する案内機構を備えている。
【００１７】
この案内機構は、図２に示すように、後述のカード１０の下面と当接してこのカード１０を排出方向へ案内する下部案内部１６と、カード排出口３の端面３ａから奥側に向って切欠き形成され、カード１０の排出時に、カード１０の上面と当接してこのカード１０を排出方向へ案内する上部案内部１５と、図１に示すようにカード１０の排出時に、カード１０を上方へ付勢する付勢部材８とを備えている。
【００１８】
上述の下部案内部１６は、図２に示すように、カード１０の排出時に、カード１０の挿入側端部を形成する後述の前端部１０ａが当接する凹部１６ａを有している。
【００１９】
また、上述の付勢部材８は、図１に示すように、上述の金属製のカバー部材２の一部を折り曲げて形成され、上下方向に弾性変形可能になっている。この付勢部材８は、カード１０の挿入時に、カード１０の前端部１０ａと当接して、この付勢部材８を自身の保有する弾性力、すなわち付勢力に抗して下方に変位させる案内部８ａと、カード挿入部４の所定の装着位置に装着されたカード１０の後述の後端部１０ｃが係止される係止部８ｂとを備えている。すなわち、この付勢部材８は、カード挿入部４の所定の装着位置に装着されたカード１０の抜け止め部材を兼ねている。
【００２０】
また、図３等に示すように、ハウジング１には、付勢部材８が下方に変位した際に、この付勢部材８との当接を避ける逃げ部９を形成してある。
【００２１】
［本実施形態へのカードの挿入］
図４は本実施形態のカード挿入口を兼ねるカード排出口からカードが挿入された状態、及びカード排出口からカードが排出された状態を示す図で、（ａ）図は平面図、（ｂ）図は正面図、（ｃ）図は背面図、（ｄ）図は左側面図、（ｅ）図は右側面図、図５は図４のＢ−Ｂ断面拡大図、図６は図４に示す状態からカバー部材を除いた状態を示す図で、（ａ）図は平面図、（ｂ）図は正面図、（ｃ）図は背面図、（ｄ）図は左側面図、（ｅ）図は右側面図である。
【００２２】
図７は本実施形態のカード挿入部の所定の装着位置にカードが装着されたときの状態を示す図で、（ａ）図は平面図、（ｄ）図は左側面図、（ｅ）図は右側面図、図８は図７に示す状態からカバー部材を除いた状態を示す図で、（ａ）図は平面図、（ｂ）図は正面図、（ｃ）図は背面図、（ｄ）図は左側面図、（ｅ）図は右側面図である。
【００２３】
カード１０が挿入されていない状態にあっては、付勢部材８は、図１に示すように上方に位置し、スライド部材６は、図３に示すように、ばね部材７の付勢力によってカード挿入口を兼ねるカード排出口３側に位置している。
【００２４】
この状態からカード１０が挿入されようとすると、カード１０の前端部１０ａが付勢部材８の案内部８ａに当接し、引き続いて行なわれるカード１０の押し込みに伴って案内部８ａを介して付勢部材８は、図４の（ｄ）、（ｅ）図の矢印１１で示すように、自身の付勢力に抗して下方に変位する、この間、カード排出口３から挿入されたカード１０の前端部１０ａの切欠き部１０ｂがスライド部材６に係合する。
【００２５】
なお、上述のように付勢部材８が下方に変位する間、この付勢部材８はハウジング１の逃げ部９によって形成される空間内を変位するので、付勢部材８がハウジング１に当接する事態を生じることがない。
【００２６】
さらにカード１０が押し込まれると、その押し込み力によってスライド部材６がばね部材７の付勢力に抗してハウジング１の奥側に向って摺動し、図７，８に示すようにカード１０が所定の装着位置に装着される。このとき、図７の（ｄ）、（ｅ）図の矢印１２で示すように、付勢部材８が自身の付勢力に抗して上方に変位する。これにより、同図７に示すように、カード１０の後端部１０ｃが付勢部材８の係止部８ｂに係止され、カード１０がロックされる。つまりカード１０が抜け止めされる。
【００２７】
このようにカード１０が、付勢部材８の係止部８ｂによって抜け止めされ、ハウジング１のカード挿入部４の所定の装着位置に装着された状態では、カード１０の下面に形成される外部接触部のそれぞれと、ハウジング１の外部接続端子５のそれぞれとが導通し、カード１０に対する信号の送受信が可能となる。
【００２８】
［本実施形態からのカードの排出］
図７，８に示すように、カード１０がカード挿入部４の所定の装着位置に装着されている状態から、カード１０を排出するには、付勢部材８の例えば案内部８ａ付近を単に押し下げればよい。これによって、カード１０は図８に示すばね部材７の付勢力によって、スライド部材６と共にハウジング１のカード排出口３方向に向って排出され、上述した図４〜６に示す状態となる。この間、図５に示すようにカード１０の下面は、このカード１０の前端部１０ａが凹部１６ａに当接するようにして下部案内部１６に案内され、カード１０の上面は上部案内部１５に当接するようにして案内され、また、カード１０は付勢部材８の付勢力によって上方に付勢される。すなわちカード１０は、後端部１０ｃが上方に変位するようにして斜め上方に案内される。この状態において、カード１０の抜き取りが可能となる。
【００２９】
［本実施形態の効果］
このように構成した本実施形態によれば、カード１０の排出時には、下部案内部１６と上部案内部１５と付勢部材８とを有する案内機構によってカード１０が斜め上方へ案内されるので、カード１０の排出側端部を形成する後端部１０ｃが上方へ変位し、カード１０の下側空間を広げることができる。したがって、排出されたカードを確実に摘まむことができ、カード１０の取り出しを簡単に行なうことができる。これにより、カード１０の薄型化に対応可能な装置とすることができる。
【００３０】
また、ハウジング１に形成し得る下部案内部と、カバー部材２に形成し得る上部案内部１５及び付勢部材８とを設けるだけの簡単な構成で、カード排出時にカード１０を確実に摘まむことができる。
【００３１】
また、下部案内部１６が凹部１６ａを有する構成にしてあるので、カード排出時に、凹部１６ａにカード１０の挿入側端部を形成する前端部１０ａが当接して、カード１０の後端部１０ｃが上方に変位するように、このカード１０を確実に傾けることができる。
【００３２】
また、カバー部材２の製作時には同時に付勢部材８を製作でき、この付勢部材８の製作が容易であると共に、部品数の増加を抑えることができる。
【００３３】
また、付勢部材８は、上下方向に弾性変形する部材から成り、左右方向の変位を生じないので、装置の幅寸法の増加が抑えられ、この点で装置の小型化を実現できる。
【００３４】
また、ハウジング１に逃げ部９を形成したことにより、付勢部材８の上下方向の変位量を装置の厚さ寸法内に納めることが可能となり、これにより装置の薄型化の実現に貢献する。
【００３５】
さらに、付勢部材８がカード１０の抜け止め部材を兼ねているので、カード挿入部４の所定の装着位置に装着されたカード１０の抜け止めを防止できると共に、別個にカード１０の抜け止め部材を備える必要がなく、部品数の低減に貢献する。
【図面の簡単な説明】
【００３６】
【図１】本発明のカード用コネクタ装置に係る一実施形態を示す図で、（ａ）図は平面図、（ｂ）図は正面図、（ｃ）図は背面図、（ｄ）図は左側面図、（ｅ）図は右側面図である。
【図２】図１のＡ−Ａ断面拡大図である。
【図３】図１に示す状態からカバー部材を除いた状態を示す図で、（ａ）図は平面図、（ｂ）図は正面図、（ｃ）図は背面図、（ｄ）図は左側面図、（ｅ）図は右側面図である。
【図４】本実施形態のカード挿入口を兼ねるカード排出口からカードが挿入された状態、及びカード排出口からカードが排出された状態を示す図で、（ａ）図は平面図、（ｂ）図は正面図、（ｃ）図は背面図、（ｄ）図は左側面図、（ｅ）図は右側面図である。
【図５】図４のＢ−Ｂ断面拡大図である。
【図６】図４に示す状態からカバー部材を除いた状態を示す図で、（ａ）図は平面図、（ｂ）図は正面図、（ｃ）図は背面図、（ｄ）図は左側面図、（ｅ）図は右側面図である。
【図７】本実施形態のカード挿入部の所定の装着位置にカードが装着されたときの状態を示す図で、（ａ）図は平面図、（ｄ）図は左側面図、（ｅ）図は右側面図である。
【図８】図７に示す状態からカバー部材を除いた状態を示す図で、（ａ）図は平面図、（ｂ）図は正面図、（ｃ）図は背面図、（ｄ）図は左側面図、（ｅ）図は右側面図である。
【符号の説明】
【００３７】
１    ハウジング
２    カバー部材
３    カード排出口
３ａ  端面
４    カード挿入部
５    外部接続端子
６    スライド部材
７    ばね部材
８    付勢部材（案内機構）
８ａ  案内部
８ｂ  係止部
９    逃げ部
１０  カード
１０ａ  前端部
１０ｂ  切欠き部
１０ｃ  後端部
１５    上部案内部（案内機構）
１６    下部案内部（案内機構）
１６ａ  凹部
【図１】
2006172872.tif 000003
【図２】
2006172872.tif 000004
【図３】
2006172872.tif 000005
【図４】
2006172872.tif 000006
【図５】
2006172872.tif 000007
【図６】
2006172872.tif 000008
【図７】
2006172872.tif 000009
【図８】
2006172872.tif 000010